(57)【要約】【課題】ビスを使用することなく框材を連結することのできる網戸を提供する。【解決手段】上下の横材２０、２１と左右の縦材２２、２２とを方形状に組んでなる框体２３内に網部材２４を保持し、横材と縦材は、横材と縦材に対して接着固定される連結部材３０、４０によりコーナー部で連結され、連結部材３０、４０は、連結される横材と縦材の端部室内側にそれぞれ接着固定される室内側部品３１、４１と、連結される横材と縦材の端部室外側にそれぞれ接着固定される室外側部品３２、４２とからなり、室外側部品３２、４２と室内側部品３１、４１は互いに接合されてなる。【選択図】図２
2011202384.tif 000002
【特許請求の範囲】
【請求項１】
上下の横材と左右の縦材とを方形状に組んでなる框体内に網部材を保持した網戸において、
前記横材と縦材は、該横材と縦材に対して接着固定される連結部材によりコーナー部で連結され、
前記連結部材は、連結される前記横材と縦材の端部室内側にそれぞれ接着固定される室内側部品と、連結される前記横材と縦材の端部室外側にそれぞれ接着固定される室外側部品とからなり、該室外側部品と室内側部品は互いに接合されてなることを特徴とする網戸。
【請求項２】
前記室内側部品は、連結される前記横材と縦材の端部室内面に対して接着される室内接着面を備え、前記室外側部品は、連結される前記横材と縦材の端部室外面に対して接着される室外接着面を備えることを特徴とする請求項１記載の網戸。
【請求項３】
前記室内側部品と室外側部品は、嵌合により互いに接合されることを特徴とする請求項１または２記載の網戸。
【請求項４】
前記室内側部品と室外側部品は、接着により互いに接合されることを特徴とする請求項１〜３のいずれか１項に記載の網戸。
【請求項５】
前記連結部材の室内側部品と室外側部品は、前記框体のコーナー部を構成する角構成部を備え、該角構成部に対して前記横材と縦材の各端面が突き当てられることを特徴とする請求項１〜４のいずれか１項に記載の網戸。
【発明の詳細な説明】
【技術分野】
【０００１】
本発明は、サッシの枠体に納められる網戸に関し、特に上下の横材と左右の縦材を連結部材によりコーナー部で連結してなる框体を有する網戸に関する。
【背景技術】
【０００２】
従来、建物開口部に取付けられる枠体内に納められる網戸が知られている。網戸は、上下の横材と左右の縦材を方形状に組んでなる框体を備え、この框体内に網部材を納めるようにしている。横材と縦材は、いずれも断面中空状に形成され、横材の中空内部には、長手方向に渡るビス孔が形成されている。横材と縦材の連結は、横材の端面を縦材の内側面に突き当て、横材のビス孔に対してビスを螺合させることによりなされる。横材のビス孔は、横材に対して縦材が回転しないように、少なくとも２箇所に設けられる。このような網戸としては、例えば特許文献１に挙げるようなものがある。
【先行技術文献】
【特許文献】
【０００３】
【特許文献１】特開２００６−２０７１７６号公報
【発明の概要】
【発明が解決しようとする課題】
【０００４】
従来の網戸は、上述のように横材と縦材をビス止めしていたため、以下に述べる問題点を有していた。まず、少なくとも横材にビス止めのためのビス孔を長手方向に沿って形成する必要があり、重量増及びコストアップを招いていた。特に、横材は押出成形されてなるため、ビス孔は長手方向の全長に渡って形成されるが、ビスが挿入されるのは、両端部分だけであり、その他の大部分は、何ら機能しない部分となる。軽量化のため、ビス孔の両端部以外の領域を切除することも考えられるが、そのための加工にコストがかかり、現実的ではない。また、ビス孔を少なくとも離隔した２箇所に設ける必要があるため、框材の設計自由度に制約を与えることとなっていた。
【０００５】
さらに、框体をリサイクルする際に、框体を分解するためには、ビスを全て取り外さなければならず、作業性が良好とは言えなかった。また、ビスが取付けられたまま廃棄されると、アルミ材からなる框体にステンレス等からなるビスが混入することとなり、リサイクル時に支障を来す可能性がある。
【０００６】
本発明は前記課題を鑑みてなされたものであり、ビスを使用することなく框材を連結することのできる網戸を提供することを目的とする。
【課題を解決するための手段】
【０００７】
前記課題を解決するため、本発明に係る網戸は、上下の横材と左右の縦材とを方形状に組んでなる框体内に網部材を保持した網戸において、
前記横材と縦材は、該横材と縦材に対して接着固定される連結部材によりコーナー部で連結され、
前記連結部材は、連結される前記横材と縦材の端部室内側にそれぞれ接着固定される室内側部品と、連結される前記横材と縦材の端部室外側にそれぞれ接着固定される室外側部品とからなり、該室外側部品と室内側部品は互いに接合されてなることを特徴として構成されている。
【０００８】
また、本発明に係る網戸は、前記室内側部品は、連結される前記横材と縦材の端部室内面に対して接着される室内接着面を備え、前記室外側部品は、連結される前記横材と縦材の端部室外面に対して接着される室外接着面を備えることを特徴として構成されている。
【０００９】
さらに、本発明に係る網戸は、前記室内側部品と室外側部品は、嵌合により互いに接合されることを特徴として構成されている。
【００１０】
さらにまた、本発明に係る網戸は、前記室内側部品と室外側部品は、接着により互いに接合されることを特徴として構成されている。
【００１１】
そして、本発明に係る網戸は、前記連結部材の室内側部品と室外側部品は、前記框体のコーナー部を構成する角構成部を備え、該角構成部に対して前記横材と縦材の各端面が突き当てられることを特徴として構成されている。
【発明の効果】
【００１２】
本発明に係る網戸によれば、横材と縦材は、横材と縦材に対して接着固定される連結部材によりコーナー部で連結され、連結部材は、連結される横材と縦材の端部室内側にそれぞれ接着固定される室内側部品と、連結される横材と縦材の端部室外側にそれぞれ接着固定される室外側部品とからなり、室外側部品と室内側部品は互いに接合されてなることにより、框材の連結のためのビス孔を框材の長手方向に沿って設ける必要がなく、その分の材料を不要とできるので、軽量化及びコストダウンを図ることができる。
【００１３】
また、本発明に係る網戸によれば、室内側部品は、連結される横材と縦材の端部室内面に対して接着される室内接着面を備え、室外側部品は、連結される横材と縦材の端部室外面に対して接着される室外接着面を備えることにより、室内側部品を框材の室内面に接着し、室外側部品を框材の室外面に接着すると共に、室内側部品と室外側部品を接合することで連結部材が形成されるので、連結部材の形成及び框材の連結を、容易になすことができる。
【００１４】
さらに、本発明に係る網戸によれば、室内側部品と室外側部品は、嵌合により互いに接合されることにより、室内側部品と室外側部品を容易に一体化することができる。
【００１５】
さらにまた、本発明に係る網戸によれば、室内側部品と室外側部品は、接着により互いに接合されることにより、室内側部品と室外側部品を容易に一体化することができる。
【００１６】
そして、本発明に係る網戸によれば、連結部材の室内側部品と室外側部品は、框体のコーナー部を構成する角構成部を備え、角構成部に対して横材と縦材の各端面が突き当てられることにより、框材に連結のための端部加工を施す必要がなく、単に垂直に切断するだけでよいので、工数を削減しコストダウンを図ることができる。
【図面の簡単な説明】
【００１７】
【図１】本実施形態における網戸が用いられるサッシの縦断面図である。
【図２】サッシの横断面図である。
【図３】網戸を構成する框体の室内側から見た正面図である。
【図４】図３において連結部材を取り外した状態の正面図である。
【図５】上框と縦框のコーナー部における室内側から見た分解斜視図である。
【図６】図５を室外側から見た分解斜視図である。
【図７】框体の上框と縦框を室内側から見た連結部分斜視図である。
【図８】図７を室外側から見た斜視図である。
【図９】下框と縦框のコーナー部における室内側から見た分解斜視図である。
【図１０】図９を室外側から見た分解斜視図である。
【図１１】框体の下框と縦框の室内側から見た連結部分斜視図である。
【図１２】図１１を室外側から見た斜視図である。
【図１３】図１１においてモヘア材を取付けた状態の斜視図である。
【発明を実施するための形態】
【００１８】
本発明の実施形態について図面に沿って詳細に説明する。図１には本実施形態における網戸が用いられるサッシの縦断面図を、図２にはサッシの横断面図を、それぞれ示している。これら各図に示すように、サッシは、建物開口部に取付けられる枠体１内に内障子２と外障子３が引き違い状かつ開閉自在に納められ、さらに外障子３の室内側には、網戸４が納められている。
【００１９】
枠体１は、上枠１０と下枠１１及び左右の縦枠１２、１２を方形状に枠組みして構成されている。また、内障子２は、方形状に框組みされた内障子框体２ａにガラス体２ｂを納めて構成され、外障子３は、方形状に框組みされた外障子框体３ａにガラス体３ｂを納めて構成されている。
【００２０】
内障子２の下辺には、下枠１１に形成される内レール１１ａに案内される戸車２ｃが設けられ、また外障子３の下辺には、下枠１１に形成される外レール１１ｂに案内される戸車３ｃが設けられる。外障子３は、戸車３ｃが設けられる位置より上方部分が、室外側に張り出すように形成されており、複層ガラスからなるガラス体３ｂを飲み込む寸法を確保するようにしている。
【００２１】
網戸４は、上框２０と下框２１及び左右の縦框２２、２２を方形状に框組みしてなる框体２３内に、網部材２４を納めて構成されている。框体２３を構成する上框２０と下框２１及び縦框２２は、いずれも断面中空状に形成されている。框体２３は、内周側の四周に渡って凹状の網固定溝２５を有しており、網部材２４は周縁部が網固定溝２５に納められ、その状態でゴム材からなる網固定ビード材２６が四周に渡って押し込まれることで固定されている。網部材２４は、細い糸が上下左右に格子状となるように編まれて平面状とされたものであり、室外側からの虫等の侵入を防止する。
【００２２】
図２に示されているように、框体２３を構成する縦框２２の室内面には、対向する外障子３の室外面に対して当接する第１モヘア材２７と、対向する外障子３の室外面または縦枠１２の室外面に対して当接する第２モヘア材２８とが、長手方向に沿って設けられている。第１モヘア材２７と第２モヘア材２８は、網戸４と外障子３及び枠体１との縦辺における隙間を塞いで、虫等の侵入を防ぐためのものである。
【００２３】
図３には、網戸４を構成する框体２３の室内側から見た正面図を示している。この図に示すように、框体２３は、横材となる上框２０及び下框２１と、縦材となる左右の縦框２２を、４つのコーナー部でそれぞれ連結部材３０、４０により連結して組まれている。連結部材３０は、上框２０の両端部で縦框２２の上端部と連結し、連結部材４０は、下框２１の両端部で縦框２２の下端部と連結している。これらの連結部材３０、４０は、それぞれ各框材の室内外面に対して、接着により固定されている。
【００２４】
図４には、図３において連結部材３０、４０を取り外した状態の正面図を示している。この図に示すように、上框２０と縦框２２の連結部分は、コーナー部分が空いた状態となっており、この空間部分を埋めるように連結部材３０が設けられ、連結部材３０はさらに上框２０と縦框２２の各室内外面と重なりあって接着される室内接着面３１ｂと室外接着面３２ｂを備えている。また、下框２１と縦框２２の連結部分についても同様に、コーナー部分が空いた状態となっており、この空間部分を埋めるように連結部材４０が設けられ、連結部材４０はさらに下框２１と縦框２２の各室内外面と重なり合って接着される室内接着面４１ｂと室外接着面４２ｂを備えている。
【００２５】
図５には上框２０と縦框２２のコーナー部における室内側から見た分解斜視図を、図６には図５を室外側から見た分解斜視図を、それぞれ示している。これらの図に示すように、上側のコーナー部に設けられる連結部材３０は、室内側部品３１と室外側部品３２の２部品からなっている。室内側部品３１は、上框２０と縦框２２の連結部分となる框体２３のコーナー部を構成する角構成部３１ａと、上框２０の室内面と縦框２２の室内面に当接し接着固定がなされる室内接着面３１ｂとを有している。また、室外側部品３２は、上框２０と縦框２２の連結部分となる框体２３のコーナー部を構成する角構成部３２ａと、上框２０の室外面と縦框２２の室外面に当接し接着固定がなされる室外接着面３２ｂとを有している。
【００２６】
室内側部品３１と室外側部品３２は、角構成部３１ａ、３２ａにおいて嵌合並びに接着されて、両者が接合される。図６に示すように、室内側部品３１の角構成部３１ａには、室外側面に突出状の嵌合部３１ｃが形成されており、図５に示すように、室外側部品３２の角構成部３２ａには、室内側面に凹状の被嵌合部３２ｃが形成されている。室内側部品３１の嵌合部３１ｃを室外側部品３２の被嵌合部３２ｃに挿入することで、両者が嵌合される。
【００２７】
また、室内側部品３１の角構成部３１ａの肉厚部分と室外側部品３２の角構成部３２ａの肉厚部分は、概ね当接しあうように形成されており、両者間に接着材シートを挟み、嵌合した後に加熱することにより、接着材シートを軟化させ、室内側部品３１と室外側部品３２を接着接合する。
【００２８】
室内側部品３１の室内接着面３１ｂと室外側部品３２の室外接着面３２ｂには、それぞれ接着材が塗布され、上框２０と縦框２２の各室内側面に対して接着接合がなされる。これによって、上框２０と縦框２２は連結部材３０により連結された状態となる。
【００２９】
連結される上框２０と縦框２２は、いずれも端面が平面状となっており、端部における切り落とし等の加工はなされていない。上框２０と縦框２２の各端面は、それぞれ連結部材３０の角構成部３１ａ、３２ａに対して突き当てられる。
【００３０】
図５に示すように、室内側部品３１には、角構成部３１ａの室内側面にヒレ部品３１ｄが設けられる。ヒレ部品３１ｄは、軟質の樹脂材からなるヒレを備え、図１に示されているように、外障子３に対して近接し、網戸４と外障子３の間に生じる隙間を塞いで虫等の侵入を防ぐものである。
【００３１】
また、縦框２２には、長手方向に沿って第１モヘア材２７を保持するモヘア保持溝２２ａが形成されており、室内側部品３１の室内接着面３１ｂにも、モヘア保持溝２２ａの位置にスリット部３１ｈが形成されている。スリット部３１ｈは、室内接着面３１ｂのうち縦框２２に接着される側の、下端からヒレ部品３１ｄの位置に渡って形成されている。図５には、第１モヘア材２７は図示されていないが、縦框２２の長手方向に沿って設けられる第１モヘア材２７は、室内側部品３１のヒレ部品３１ｄの位置まで設けられることになる。
【００３２】
室内側部品３１には、さらに第２モヘア材２７を保持するためのモヘア保持部３１ｇが縦方向に沿って形成されている。これにより、第２モヘア材２７は、框体２３の上端位置まで設けることができ、虫等の侵入をより確実に防止することができる。
【００３３】
上框２０と縦框２２には、前述のように網部材２４を固定する溝状の網固定溝２５が長手方向に沿って形成されているが、網固定溝２５は、コーナー部において不連続状となるので、室外側部品３２の角構成部３２ａには、網固定溝２５の角部を構成する溝構成部３２ｄが形成されており、網固定ビード材２６をコーナー部においても保持できるようにしている。
【００３４】
図７には框体２３の上框２０と縦框２２を室内側から見た連結部分斜視図を、図８には図７を室外側から見た斜視図を、それぞれ示している。これらの図に示すように、室内側部品３１と室外側部品３２を接合することにより、一体的な連結部材３０が形成される。
【００３５】
室内側部品３１の室内接着面３１ｂと室外側部品３２の室外接着面３２ｂは、上框２０と縦框２２の各室内外面に当接した状態で露出するため、短い方が意匠性は良好となるが、長い方が接合強度を大きくできるため、それらの兼ね合いで適切な長さに設定される。
【００３６】
図７に示すように、上框２０の室内側面には、室内側に向かって張り出す上方開放状の上凹部２０ａが形成されている。上凹部２０ａは、上枠１０に形成される上網戸レール１０ａを跨いで、網戸４を案内するものである。連結部材３０の室内側部品３１には、上框２０の上凹部２０ａと連続する上凹状連続部３１ｅが形成されている。また、上凹状連続部３１ｅの開口付近は、幅を狭くしたレール保持部３１ｆとされており、上枠１０の上網戸レール１０ａを保持し、網戸４が安定的に移動できるようにしている。
【００３７】
図９には下框２１と縦框２２のコーナー部における室内側から見た分解斜視図を、図１０には図９を室外側から見た分解斜視図を、それぞれ示している。これらの図に示すように、下側のコーナー部に設けられる連結部材４０も、室内側部品４１と室外側部品４２の２部品からなっている。室内側部品４１は、下框２１と縦框２２の連結部分となる框体２３のコーナー部を構成する角構成部４１ａと、下框２１の室内面と縦框２２の室内面に当接し接着固定がなされる室内接着面４１ｂとを有している。また、室外側部品４２は、下框２１と縦框２２の連結部分となる框体２３のコーナー部を構成する角構成部４２ａと、下框２１の室外面と縦框２２の室外面に当接し接着固定がなされる室外接着面４２ｂとを有している。
【００３８】
室内側部品４１と室外側部品４２は、角構成部４１ａ、４２ａにおいて嵌合並びに接着されて、両者が接合される。図１０に示すように、室内側部品４１の角構成部４１ａには、室外側面に突出状の嵌合部４１ｃが形成されており、図９に示すように、室外側部品４２の角構成部４２ａには、室内側面に凹状の被嵌合部４２ｃが形成されている。室内側部品４１の嵌合部４１ｃを室外側部品４２の被嵌合部４２ｃに挿入することで、両者が嵌合される。
【００３９】
また、室内側部品４１の角構成部４１ａの肉厚部分と室外側部品４２の角構成部４２ａの肉厚部分は、概ね当接しあうように形成されており、両者間に接着材シートを挟み、嵌合した後に加熱することにより、接着材シートを軟化させ、室内側部品４１と室外側部品４２を接着接合する。
【００４０】
室内側部品４１の室内接着面４１ｂと室外側部品４２の室外接着面４２ｂには、それぞれ接着材が塗布され、下框２１と縦框２２の各室内側面に対して接着接合がなされる。これによって、下框２１と縦框２２は連結部材４０により連結された状態となる。
【００４１】
下框２１の室内側面には、室内側に向かって張り出す下方開放状の下凹部２１ａが形成されている。下凹部２１ａは、下枠１１に形成される下網戸レール１１ｃを跨ぐものであって、その内部には戸車部材２９が納められる。戸車部材２９には、戸車が納められており、また框体２３のコーナー部側に押し込み部２９ａが設けられている。戸車部材２９を下框２１に取付けた状態で、押し込み部２９ａを戸車部材２９の本体側に押し込むことで、戸車が内部から飛び出して、使用することができるようになる。
【００４２】
連結部材４０の室内側部品４１には、下框２１の下凹部２１ａと連続する下凹状連続部４１ｅが形成されている。下凹状連続部４１ｅは、室内側部品４１と下框２１とが接合された状態で、下凹部２１ａと連続すると共に、戸車部材２９の押し込み部２９ａを操作可能とするため、切欠部４１ｉが形成されている。このように、室内側部品４１は、戸車の機能を阻害しないように構成されている。
【００４３】
室外側部品４２の角構成部４２ａには、網固定溝２５の角部を構成する溝構成部４２ｄが形成されており、網固定ビード材２６をコーナー部においても保持できるようにしている。
【００４４】
前述のように、縦框２２には、長手方向に沿って第１モヘア材２７を保持するモヘア保持溝２２ａが形成されている。室内側部品４１の室内接着面４１ｂには、モヘア保持溝２２ａの位置にモヘア保持溝２２ａより幅広のスリット部４１ｈが形成されている。室内側部品４１のスリット部４１ｈには、軟質の樹脂材からなるヒレ部品４１ｄが取付けられる。
【００４５】
ヒレ部品４１ｄは、図１に示すように、網戸４に取付けられた状態で、先端部が外障子３の室外面に沿うように形成されており、網戸４の下辺において外障子３との間に生じる隙間を塞ぎ、虫等の侵入を防ぐ機能を有している。
【００４６】
室内側部品４１には、さらに第２モヘア材２７を保持するためのモヘア保持部４１ｇが縦方向に沿って形成されている。これにより、第２モヘア材２７は、框体２３の下端位置まで設けることができ、虫等の侵入をより確実に防止することができる。
【００４７】
図１１には框体２３の下框２１と縦框２２の室内側から見た連結部分斜視図を、図１２には図１１を室外側から見た斜視図を、それぞれ示している。これらの図に示すように、室内側部品４１と室外側部品４２を接合することにより、一体的な連結部材４０が形成される。
【００４８】
室内側部品４１の室内接着面４１ｂと室外側部品４２の室外接着面４２ｂは、下框２１と縦框２２の各室内外面に当接した状態で露出するため、短い方が意匠性は良好となるが、長い方が接合強度を大きくできるため、それらの兼ね合いで適切な長さに設定される。
【００４９】
図１３には図１１においてモヘア材を取付けた状態の斜視図を示している。この図に示すように、室内側部品４１のスリット部４１ｈには、ヒレ部品４１ｄが取付けられている。また、縦框２２の第１モヘア材２７は、ヒレ部品４１ｄの上端位置まで設けられている。室内側部品４１のモヘア保持部４１ｇに対しては、縦框２２から連続的に伸びる第２モヘア材２８が取付けられる。
【００５０】
このように、網戸４を構成する框体２３について、横材となる上框２０及び下框２１と、縦材となる左右の縦框２２とを、各框材に接着される連結部材３０、４０により連結するようにしたので、框材の連結のためのビス孔を框材の長手方向に沿って設ける必要がなく、その分の材料を不要とできるので、軽量化及びコストダウンを図ることができる。また、連結する横材と縦材の端部に、連結のための加工を施す必要がなく、単に垂直に切断するだけでよいので、工数を削減しコストダウンを図ることができる。
【００５１】
さらに、連結部材３０、４０を室内側部品３１、４１と室外側部品３２、４２で構成し、それぞれ框材の室内外面に接着固定すると共に、室内側部品３１、４１と室外側部品３２、４２は嵌合及び接着により接合されるようにしたので、連結部材３０、４０と各框材の連結を容易になすことができる。ただし、室内側部品３１、４１と室外側部品３２、４２の接合に際しては、嵌合または接着のいずれか一方を採用するようにしてもよい。
【００５２】
以上、本発明の実施形態について説明したが、本発明の適用は本実施形態には限られず、その技術的思想の範囲内において様々に適用されうるものである。
【符号の説明】
【００５３】
１    枠体
２    内障子
３    外障子
４    網戸
１０    上枠
１１    下枠
１２    縦枠
２０    上框
２１    下框
２２    縦框
２３    框体
２４    網部材
２９    戸車部材
３０    連結部材
３１    室内側部品
３１ａ  角構成部
３１ｂ  室内接着面
３１ｃ  嵌合部
３２    室外側部品
３２ａ  角構成部
３２ｂ  室外接着面
３２ｃ  被嵌合部
４０    連結部材
４１    室内側部品
４１ａ  角構成部
４１ｂ  室内接着面
４１ｃ  嵌合部
４２    室外側部品
４２ａ  角構成部
４２ｂ  室外接着面
４２ｃ  被嵌合部
【図１】
2011202384.tif 000003
【図２】
2011202384.tif 000004
【図３】
2011202384.tif 000005
【図４】
2011202384.tif 000006
【図５】
2011202384.tif 000007
【図６】
2011202384.tif 000008
【図７】
2011202384.tif 000009
【図８】
2011202384.tif 000010
【図９】
2011202384.tif 000011
【図１０】
2011202384.tif 000012
【図１１】
2011202384.tif 000013
【図１２】
2011202384.tif 000014
【図１３】
2011202384.tif 000015